(57)【要約】  二重像合致式のファインダ装置を提供する。  ファインダ装置によって光学的に結像する被写体像72が得られる。また，固体電子撮像素子により被写体が撮像される。撮像により得られた被写体像82が電子ビュー・ファインダを構成する液晶表示装置の表示画面に表示される。光学的な被写体像72上に電子ビュー・ファインダの表示画面に表示される被写体像82が重ねられた画像を，ユーザはファインダ装置から見る。電子ビュー・ファインダの表示画面には，ファインダ装置と固体電子撮像素子との視差が補正されるように表示位置がシフトされる。ピントが合っている場合には，光学的な被写体像72と被写体像82とが一致し，ピントがずれている場合には被写体像72と被写体像82とはずれる。これらの被写体像72と82とのずれの程度をファインダ装置から覗きながら，ピントを合わせることができる。
2014017173.tif 000002
【特許請求の範囲】
【請求項１】
フォーカス・レンズが内蔵され，かつ回転自在なフォーカス・リングが周囲に設けられており，上記フォーカス・リングの回転に応じて上記フォーカス・レンズの位置を調整するレンズ鏡筒，
上記フォーカス・レンズによって結像する被写体を撮像し，被写体像を表わす画像データを出力する固体電子撮像装置，
上記固体電子撮像装置から出力された画像データによって表わされる被写体像のうち，所望のＡＦターゲット領域内の画像を表示画面に表示する表示装置，
カメラの前面に形成され，被写体に向く対物窓および上記対物窓を通して見える光学的な被写体像を覗く接眼窓を備えたファインダ装置，
上記対物窓と上記接眼窓との間に設けられ，上記表示装置の表示画面に表示されているＡＦターゲット領域内の画像を上記接眼窓に導く偏向装置，ならびに
上記ＡＦターゲット領域内の画像が非合焦であれば上記対物窓を通して見える光学的な被写体像と上記ＡＦターゲット領域内の画像とがずれるように上記表示画面にＡＦターゲット領域内の画像を表示し，上記ＡＦターゲット領域内の画像が合焦であれば上記対物窓を通して見える光学的な被写体像と上記ＡＦターゲット領域内の画像とが一致するように上記表示画面にＡＦターゲット領域内の画像を表示するように上記表示装置を制御する表示制御手段，
を備えたカメラ。
【請求項２】
上記表示制御手段は，
上記フォーカス・リングの回転量を検出する回転量検出手段を備え，
上記回転量検出手段によって検出された回転量にもとづいて，上記ＡＦターゲット領域内の画像が非合焦であれば上記対物窓を通して見える光学的な被写体像と上記ＡＦターゲット領域内の画像とが少なくとも横方向にずれるように上記表示画面にＡＦターゲット領域内の画像を表示し，上記ＡＦターゲット領域内の画像が合焦であれば上記対物窓を通して見える光学的な被写体像と上記ＡＦターゲット領域内の画像とが一致するように上記表示画面にＡＦターゲット領域内の画像を表示するように上記表示装置を制御するものである，
請求項１に記載のカメラ。
【請求項３】
上記表示制御手段は，
上記回転量検出手段によって検出された回転量にもとづいて，上記ＡＦターゲット領域内の画像が非合焦であれば上記対物窓を通して見える光学的な被写体像と上記ＡＦターゲット領域内の画像とが上記レンズ鏡筒の光軸と上記ファインダ装置の光軸とを結ぶ軸上をずれるように上記表示画面にＡＦターゲット領域内の画像を表示し，上記ＡＦターゲット領域内の画像が合焦であれば上記対物窓を通して見える光学的な被写体像と上記ＡＦターゲット領域内の画像とが一致するように上記表示画面にＡＦターゲット領域内の画像を表示するように上記表示装置を制御するものである，
請求項２に記載のカメラ。
【請求項４】
上記表示制御手段は，
フォーカス・リングの回転に応じて，上記ＡＦターゲット領域内の画像を少なくとも横方向に移動させるとともに，上記フォーカス・レンズの合焦位置が被写体までの距離に一致した場合に上記対物窓を通して見える光学的な被写体像と上記ＡＦターゲット領域内の画像とが一致するように上記表示画面にＡＦターゲット領域内の画像を表示するように表示装置を制御するものである，
請求項１から３のうち，いずれか一項に記載のカメラ。
【請求項５】
上記表示制御手段は，
上記フォーカス・リングの回転量を検出する回転量検出手段，および上記回転量検出手段によって検出された回転量にもとづいてカメラの前方のどの位の距離にある被写体について合焦するかを算出する距離算出手段を備え，
上記距離算出手段において算出された距離にある被写体を上記ファインダ装置の上記対物窓を通して見える光学的な被写体像と，その被写体を上記固体電子撮像装置によって撮像することにより上記表示装置の上記表示画面に表示されているＡＦターゲット領域の画像と，を一致させるものである，
請求項１から４のうち，いずれか一項に記載のカメラ。
【請求項６】
上記表示制御手段は，
固体電子撮像装置の光軸と上記ファインダ装置の光軸とのずれによる，上記対物窓を通して見える光学的な被写体像と上記ＡＦターゲット領域内の画像とのずれを補正して，上記ＡＦターゲット領域内の画像を上記表示画面に表示するものである，
請求項１から５のうち，いずれか一項に記載のカメラ。
【請求項７】
上記表示制御手段は，
固体電子撮像装置の光軸と上記ファインダ装置の光軸とのずれによる，上記対物窓を通して見える光学的な被写体像と上記ＡＦターゲット領域内の画像とのずれを，上記距離算出手段によって算出された距離に応じた補正分を補正して，上記ＡＦターゲット領域内の画像を上記表示画面に表示するものである，
請求項６に記載のカメラ。
【請求項８】
上記ＡＦターゲット領域の位置，大きさおよび数のうち少なくとも一つを設定する第１のＡＦターゲット領域設定手段，
をさらに備えた請求項１から７のうち，いずれか一項に記載のカメラ。
【請求項９】
上記ＡＦターゲット領域内の画像の明るさまたは濃度の少なくとも一方を設定する第２のＡＦターゲット領域設定手段，
をさらに備えた請求項１から８のうち，いずれか一項に記載のカメラ。
【請求項１０】
上記固体電子撮像装置によって撮像された被写体像に含まれる顔の領域を検出する顔検出手段，および
上記顔検出手段によって検出された顔の領域をＡＦターゲット領域に設定する第３のＡＦターゲット領域設定手段，
をさらに備えた請求項１から９のうち，いずれか一項に記載のカメラ。
【請求項１１】
フォーカス・レンズが内蔵され，かつ回転自在なフォーカス・リングが周囲に設けられており，上記フォーカス・リングの回転に応じて上記フォーカス・レンズの位置を調整するレンズ鏡筒およびカメラの前面に形成され，被写体に向く対物窓および上記対物窓を通して見える光学的な被写体像を覗く接眼窓を備えたファインダ装置を備えたカメラの動作制御方法において，
固体電子撮像装置が，上記フォーカス・レンズによって結像する被写体を撮像し，被写体像を表わす画像データを出力し，
表示装置が，上記固体電子撮像装置から出力された画像データによって表わされる被写体像のうち，所望のＡＦターゲット領域内の画像を表示画面に表示し，
偏向装置が，上記ファインダ装置の上記対物窓と上記接眼窓との間に設けられ，上記表示装置の表示画面に表示されているＡＦターゲット領域内の画像を上記接眼窓に導き，
表示制御手段が，上記ＡＦターゲット領域内の画像が非合焦であれば上記対物窓を通して見える光学的な被写体像と上記ＡＦターゲット領域内の画像とがずれるように上記表示画面にＡＦターゲット領域内の画像を表示し，上記ＡＦターゲット領域内の画像が合焦であれば上記対物窓を通して見える光学的な被写体像と上記ＡＦターゲット領域内の画像とが一致するように上記表示画面にＡＦターゲット領域内の画像を表示するように上記表示装置を制御する，
カメラの動作制御方法。
【発明の詳細な説明】
【技術分野】
【０００１】
この発明は，カメラおよびその動作制御方法に関する。
【背景技術】
【０００２】
ディジタル・カメラには光学式と電子式の両方のファインダを持つ装置が搭載されているものがある（特許文献１）。光学式のファインダにより精細である光学的な被写体像を見ることができ，電子式のファインダにより撮像される被写体像と同じ被写体像を見ることができる。【０００３】
また，メイン撮像ユニットのイメージ・センサーのメイン画像に，サブ撮像ユニットのイメージ・センサーのサブ画像から切り出された部分画像が重ね合わせられるもの（特許文献２），従来の像合致式の光学式レンジファインダーの動作を二組の撮像素子像の重ね合わせで行うもの（特許文献３）などもある。
【先行技術文献】
【特許文献】
【０００４】
【特許文献１】特開2012-65294号公報
【特許文献２】特開2011-135490号公報
【特許文献３】特開2007-163724号公報
【発明の概要】
【発明が解決しようとする課題】
【０００５】
ファインダ装置を覗きながらフォーカシングを行う場合，被写体像が非合焦の場合には被写体像がずれた二重像となり，被写体像が合焦すると被写体像のずれがなくなる二重像合致式のものは，従来から名機と呼ばれるようなカメラに搭載されている。このために上述したような光学式と電子式との両方のファインダをもつものにも二重像合致式を適用できるようにすることの要求がある。しかしながら，特許文献１から３のいずれにおいても，そのような光学式電子式ビュー・ファインダにおいて二重像合致式を適用することは全く考えられていない。【０００６】
この発明は，光学式電子式ビュー・ファインダにおいて二重像合致式を適用することを目的とする。
【課題を解決するための手段】
【０００７】
この発明によるカメラは，フォーカス・レンズが内蔵され，かつ回転自在なフォーカス・リングが周囲に設けられており，フォーカス・リングの回転に応じてフォーカス・レンズの位置を調整するレンズ鏡筒，フォーカス・レンズによって結像する被写体を撮像し，被写体像を表わす画像データを出力する固体電子撮像装置，固体電子撮像装置から出力された画像データによって表わされる被写体像のうち，所望のＡＦターゲット領域内の画像を表示画面に表示する表示装置，カメラの前面に形成され，被写体に向く対物窓および対物窓を通して見える光学的な被写体像を覗く接眼窓を備えたファインダ装置，対物窓と接眼窓との間に設けられ，表示装置の表示画面に表示されているＡＦターゲット領域内の画像を接眼窓に導く偏向装置，ならびにＡＦターゲット領域内の画像が非合焦であれば対物窓を通して見える光学的な被写体像とＡＦターゲット領域内の画像とがずれるように表示画面にＡＦターゲット領域内の画像を表示し，ＡＦターゲット領域内の画像が合焦であれば上記対物窓を通して見える光学的な被写体像とＡＦターゲット領域内の画像とが一致するように表示画面にＡＦターゲット領域内の画像を表示するように表示装置を制御する表示制御手段を備えていることを特徴とする。【０００８】
この発明は，カメラに適した動作制御方法も提供している。すなわち，この方法は，フォーカス・レンズが内蔵され，かつ回転自在なフォーカス・リングが周囲に設けられており，フォーカス・リングの回転に応じてフォーカス・レンズの位置を調整するレンズ鏡筒およびカメラの前面に形成され，被写体に向く対物窓および対物窓を通して見える光学的な被写体像を覗く接眼窓を備えたファインダ装置を備えたカメラの動作制御方法において，固体電子撮像装置が，フォーカス・レンズによって結像する被写体を撮像し，被写体像を表わす画像データを出力し，表示装置が，固体電子撮像装置から出力された画像データによって表わされる被写体像のうち，所望のＡＦターゲット領域内の画像を表示画面に表示し，偏向装置が，ファインダ装置の対物窓と接眼窓との間に設けられ，表示装置の表示画面に表示されているＡＦターゲット領域内の画像を接眼窓に導き，表示制御手段が，ＡＦターゲット領域内の画像が非合焦であれば対物窓を通して見える光学的な被写体像とＡＦターゲット領域内の画像とがずれるように表示画面にＡＦターゲット領域内の画像を表示し，ＡＦターゲット領域内の画像が合焦であれば上記対物窓を通して見える光学的な被写体像とＡＦターゲット領域内の画像とが一致するように表示画面にＡＦターゲット領域内の画像を表示するように表示装置を制御するものである。【０００９】
この発明によると，ファインダ装置が設けられており，ファインダ装置の接眼窓から覗くと，ファインダ装置の対物窓を通して結像する光学的な被写体像が見える。また，固体電子撮像装置によって被写体が撮像され，撮像によって得られた被写体像のうち，ＡＦターゲット領域内の画像が表示装置の表示画面に表示される。表示画面に表示されたＡＦターゲット領域内の画像は，偏向装置によってファインダ装置の接眼窓に導かれ，光学的な被写体像に重ねられる。ＡＦターゲット領域内の画像が合焦していなければ光学的な被写体像とＡＦターゲット領域内の画像とがずれ，ＡＦターゲット領域内の画像が合焦すれば光学的な被写体像とＡＦターゲット領域内の画像とがずれずに一致するように，ＡＦターゲット領域内の画像が表示装置の表示画面に表示される。いわゆる像二重合致式のファインダ装置を実現できる。【００１０】
表示制御手段は，フォーカス・リングの回転量を検出する回転量検出手段を備えてもよい。この場合，回転量検出手段によって検出された回転量にもとづいて，ＡＦターゲット領域内の画像が非合焦であれば対物窓を通して見える光学的な被写体像とＡＦターゲット領域内の画像とが少なくとも横方向（水平方向）にずれるように表示画面にＡＦターゲット領域内の画像を表示し，ＡＦターゲット領域内の画像が合焦であれば対物窓を通して見える光学的な被写体像とＡＦターゲット領域内の画像とが一致するように表示画面にＡＦターゲット領域内の画像を表示するように表示装置を制御することが好ましい。また，回転量検出手段によって検出された回転量にもとづいて，ＡＦターゲット領域内の画像が非合焦であれば対物窓を通して見える光学的な被写体像とＡＦターゲット領域内の画像とがレンズ鏡筒の光軸とファインダ装置の光軸とを結ぶ軸上をずれるように表示画面にＡＦターゲット領域内の画像を表示し，ＡＦターゲット領域内の画像が合焦であれば対物窓を通して見える光学的な被写体像とＡＦターゲット領域内の画像とが一致するように表示画面にＡＦターゲット領域内の画像を表示するように表示装置を制御するようにしてもよい。【００１１】
表示制御手段は，たとえば，フォーカス・リングの回転に応じて，ＡＦターゲット領域内の画像を少なくとも横方向に移動させるとともに，フォーカス・レンズの合焦位置が被写体までの距離に一致した場合に対物窓を通して見える光学的な被写体像とＡＦターゲット領域内の画像とが一致するように表示画面にＡＦターゲット領域内の画像を表示するように表示装置を制御するものである。また，表示制御手段は，たとえば，フォーカス・リングの回転量を検出する回転量検出手段，および回転量検出手段によって検出された回転量にもとづいてディジタル・カメラの前方のどの位の距離にある被写体について合焦するかを算出する距離算出手段を備えているものでもよい。この場合，距離算出手段において算出された距離にある被写体を上記ファインダ装置の対物窓を通して見える光学的な被写体像と，その被写体を固体電子撮像装置によって撮像することにより表示装置の表示画面に表示されているＡＦターゲット領域の画像と，を一致させるものとなろう。【００１２】
表示制御手段は，たとえば，固体電子撮像装置の光軸とファインダ装置の光軸とのずれによる，対物窓を通して見える光学的な被写体像とＡＦターゲット領域内の画像とのずれを補正して，ＡＦターゲット領域内の画像を表示画面に表示するものである。【００１３】
表示制御手段は，固体電子撮像装置の光軸とファインダ装置の光軸とのずれによる，対物窓を通して見える光学的な被写体像とＡＦターゲット領域内の画像とのずれを，距離算出手段によって算出された距離に応じた補正分を補正して，ＡＦターゲット領域内の画像を表示画面に表示するものでもよい。【００１４】
ＡＦターゲット領域の位置，大きさおよび数のうち少なくともとも一つを設定する第１のＡＦターゲット領域設定手段をさらに備えてもよい。【００１５】
ＡＦターゲット領域内の画像の明るさまたは濃度の少なくとも一方を設定する第２のＡＦターゲット領域設定手段をさらに備えてもよい。【００１６】
固体電子撮像装置によって撮像された被写体像に含まれる顔の領域を検出する顔検出手段，および顔検出手段によって検出された顔の領域をＡＦターゲット領域に設定する第３のＡＦターゲット領域設定手段をさらに備えてもよい。
【図面の簡単な説明】
【００１７】
【図１】ディジタル・カメラの正面図である。
【図２】ディジタル・カメラの背面図である。
【図３】ディジタル・カメラを背面から見た斜視図である。
【図４】ディジタル・カメラの電気的構成を示すブロック図である。
【図５】レンズ鏡筒の光軸とファインダ装置の光軸とのずれを示している。
【図６】レンズ鏡筒とファインダ装置との視差を示している。
【図７】ファインダ装置の平面図およびファインダ装置の斜視図である。
【図８】ディジタル・カメラから被写体までの距離と視差角度との関係を示している。
【図９】光学的な被写体像の一例である。
【図１０】電子ビュー・ファインダに表示される電子ビュー・ファインダ画像の一例である。
【図１１】光学的な被写体像と電子ビュー・ファインダ画像との重畳画像である。
【図１２】ディジタル・カメラの処理手順を示すフローチャートである。
【図１３】ＡＦターゲット領域枠設定画像の一例である。
【図１４】ＡＦターゲット領域濃淡設定画像の一例である。
【図１５】電子ビュー・ファインダ画像の一例である。
【図１６】顔検出された被写体像の一例である。
【発明を実施するための形態】
【００１８】
図１から図３は，この発明の実施例を示すもので，ディジタル・カメラ１の外観を示している。図１は正面図，図２は背面図，図３は背面から見た斜視図である。
【００１９】
図１を参照して，ディジタル・カメラ１の正面のほぼ中心に前方に突出したレンズ鏡筒２が設けられている。ディジタル・カメラ１の右上には，光学ビュー・ファインダを構成し，被写体に向く対物窓３が形成されている。この対物窓３の左側にはストロボ発光装置４が設けられている。
【００２０】
ディジタル・カメラ１の上面において正面から見て左側には，シャッタ・スピード・ダイアル６，電源レバー７，シャッタ・レリーズ・ボタン８および露出ダイアル９が設けられている。シャッタ・スピード・ダイアル６は，回転自在な円形つまみである。ユーザは，シャッタ・スピード・ダイアル６を回転させることにより，所望のシャッタ・スピードを設定できる。電源レバー７は，正面から見て右および左に所定角度動かすことができる。ユーザは，電源レバー７を所定角度動かすことにより，ディジタル・カメラ１の電源をオン，オフできる。電源レバー７は上面から見て（図３参照），内部が空間の円環上のものであり，その空間にシャッタ・レリーズ・ボタン８が設けられている。露出ダイアル９も，回転自在な円形つまみである。ユーザは，露出ダイアル９を回転させることにより，露出を補正できる。
【００２１】
図２および図３を参照して，ディジタル・カメラ１の背面のほぼ全体に渡って液晶表示装置の表示画面12が形成されている。ディジタル・カメラ１の背面の左上にはファインダ装置を構成する接眼窓11が形成されている。ディジタル・カメラ１の背面の右上には，左右に動かすことができるコマンド・レバー10が設けられている。ユーザは，コマンド・レバーを操作することにより，マニアル露出時の１／３ＥＶステップでの絞り調整などの指令をディジタル・カメラ１に与えることができる。
【００２２】
コマンド・レバー10の下には，ＡＦ（自動焦点調節）／ＡＥ（自動露出）ロック・ボタン13，コマンド・ダイアル14，メニュー／ＯＫボタン15，バック・ボタン16，RAWボタン17などが設けられている。
【００２３】
主として図３を参照して，上述したように，ディジタル・カメラ１の上面の右側（背面から見て右側）には，シャッタ・スピード・ダイアル６，電源レバー７，シャッタ・レリーズ・ボタン８および露出ダイアル９が設けられている。上述したように，電源レバー７は，正面方向に突出した突起７Ａが形成されている。突起７Ａがつままれて左右に動かされることによりディジタル・カメラ１の電源のオン，オフができる。
【００２４】
ファインダ装置の接眼窓11に目を近づけて接眼窓11から覗くことにより，対物窓３および接眼窓11を介して被写体を見ることができ，カメラ・アングルを決定できる。
【００２５】
図４は，ディジタル・カメラ１の電気的構成を示すブロック図である。
【００２６】
ディジタル・カメラ１の全体の動作は，ＣＰＵ47によって統括される。
【００２７】
ディジタル・カメラ１には，固体電子撮像素子41が含まれている。この固体電子撮像素子34の前方には，レンズ鏡筒２に内蔵されているフォーカス・レンズ群31が位置決めされている。レンズ鏡筒２の周囲には回転自在なフォーカス・リング32が設けられている。ユーザによるフォーカス・リング32の操作に応じて，フォーカス・リング群31が位置決めされる。
【００２８】
固体電子撮像素子41によって被写体が撮像されると，被写体像を表わす映像信号が固体電子撮像素子41から出力される。映像信号は，サンプル／ホールド回路42を介してアナログ／ディジタル変換回路43に入力する。アナログ／ディジタル変換回路43において映像信号がディジタル画像データに変換される。変換されたディジタル画像データは信号処理回路44において，白バランス調整，ガンマ補正などの所定の信号処理が行われる。
【００２９】
信号処理回路44から出力されたディジタル画像データはメモリ46を介してＬＣＤ（Liquid Crystal Display）ドライバ48に与えられる。ＬＣＤドライバ48によって液晶表示装置12（表示画面と同じ符号を使用する）が制御され，固体電子撮像素子41によって撮像された被写体像が液晶表示装置12の表示画面に表示される。
【００３０】
また，シャッタ・レリーズ・ボタン８が押されると，上述のようにメモリ46に入力した画像データはメモリ・カード・コントローラ49の制御によりメモリ・カード50に記録される。
【００３１】
上述のように，信号処理回路44から出力された画像データは，ディジタル／アナログ変換回路45に入力する。画像データは，ディジタル／アナログ変換回路45においてアナログ映像信号に戻され，画像シフト回路35に与えられる。
【００３２】
上述のように，レンズ鏡筒２の周囲に設けられているフォーカス・リング32が操作されると，フォーカス・リング32の回転量がエンコーダ33によって検出される。検出された回転量を示す信号は距離算出回路34に入力する。距離算出回路34によって，入力した回転量を示す信号から，ディジタル・カメラ１の前方のどの位の距離にある被写体に対して合焦するか（マニュアル・フォーカス）を示す距離（合焦距離）が算出される。算出された距離を示すデータは画像シフト回路35に入力する。
【００３３】
上述したように，画像シフト回路35には，被写体像を表わす映像信号も入力している。詳しくは後述するように，算出された距離に応じて画像シフト回路35において被写体像がシフトされる処理が行われる。画像シフト回路35から出力される映像信号はＬＣＤドライバ36によってファインダ装置60の電子ビュー・ファインダ65に与えられる。電子ビュー・ファインダ65は，液晶表示装置である。電子ビュー・ファインダ65の表示画面に撮像により得られた被写体像が表示可能となる。
【００３４】
ファインダ装置60には，接眼窓11の前方に接眼レンズ66が設けられており，この接眼レンズ66の前方にはハーフミラー64が形成されているプリズム63が設けられている。ハーフミラー64は，光学ビュー・ファインダ60の光軸Ｃ３に対して45度の入射角となるように形成されている。このプリズム63の前方にＯＶＦ（光学ビュー・ファインダ）シャッタ（機械シャッタでもよいし，液晶シャッタでもよい）62および対物レンズ61が設けられている。
【００３５】
ＯＶＦシャッタ62が開いていると，対物レンズ61および接眼レンズ66によって結像した被写体ＯＢの被写体像を接眼窓11から見ることができる。また，ＯＶＦシャッタ62が開いているときに電子ビュー・ファインダ65の表示画面に撮像により得られた被写体像が表示されると，その被写体像を表わす光線束がハーフミラー64によって反射し，電子ビュー・ファインダ65の表示画面に表示されている被写体像をユーザが見ることができる。対物レンズ61等によって結像した光学的な被写体像上に電子ビュー・ファインダ65の表示画面に表示される被写体像を重ねて見ることができる。
【００３６】
レンズ鏡筒２の光軸（レンズ鏡筒２の光軸と固体電子撮像素子41の光軸とは同じである）をＣ２，ファインダ装置60の光軸をＣ３とすると，光軸Ｃ２と光軸Ｃ３とは一致しない。このために，ファインダ装置60から見る被写体ＯＢとレンズ鏡筒２を利用して撮像する被写体ＯＢとの間には視差角度θの視差が生じる。上述したように，ファインダ装置60から見える光学的な被写体像上に電子ビュー・ファインダ65の表示画面に表示される被写体像を重ねて見た場合，同じ被写体ＯＢを見ているにも関わらず，ファインダ装置60から見える光学的な被写体像と電子ビュー・ファインダ65に表示される被写体像とが視差によりずれることとなる。この実施例では，上述した画像シフト回路35において視差が補正されるように，上述した画像シフト回路35において被写体像がシフトされる。被写体ＯＢにピントが合うようにフォーカス・リング32によってフォーカス・レンズ群31の位置が位置決めされた場合には，ファインダ装置60の接眼窓11から見える光学的な被写体像と電子ビュー・ファインダ65に表示される被写体像とが一致し，被写体ＯＢのピントが合っていなければファインダ装置60の接眼窓11から見える光学的な被写体像と電子ビュー・ファインダ65に表示される被写体像とは一致しない。この実施例によるディジタル・カメラ１では，いわゆる像合致式のファインダ装置を実現できる。
【００３７】
図５は，ディジタル・カメラ１を正面から見たときのレンズ鏡筒２と対物窓３との関係を示している。
【００３８】
レンズ鏡筒２の光軸Ｃ２と光学ファインダ60（対物窓３）の光軸Ｃ３とは，距離ｄだけ離れており，視差がある。このために，被写体が無限遠と見なせる位置に存在しない場合には接眼窓３を介して見た被写体像とレンズ鏡筒２によって撮像した被写体像との間にズレが生じる。上述したように，固体電子撮像素子34によって撮像した被写体像を電子ビュー・ファインダ65に表示し，対物窓３を介して結像した光学的な被写体像に重ねると，この視差のために，被写体にピントが合うようにフォーカス・レンズ群31の位置が位置決めされていたとしても電子ビュー・ファインダ65に表示された被写体像の一部と光学的な被写体像とが一致しないことがある。
【００３９】
図６は，レンズ鏡筒２を介して被写体ＯＢを見た（撮像）場合とファインダ装置60の接眼窓３から被写体ＯＢを見た様子を示している。
【００４０】
上述したように，レンズ鏡筒２の光軸Ｃ２と接眼窓３の光軸Ｃ３との間の距離はｄである。また，レンズ鏡筒２から被写体ＯＢまでの距離をＤとする。すると，レンズ鏡筒２から被写体ＯＢまでと，接眼窓３から被写体ＯＢまでとが，なす視差角度θは，θ＝arctan(d/D)となる。すなわち，レンズ鏡筒２から被写体ＯＢを見た場合には正面に見える被写体ＯＢは，接眼窓３（ファインダ装置60）からはθの視差角度だけずれて見えることとなる（接眼窓３から被写体ＯＢを見ていると考える場合も，レンズ鏡筒２（固体電子撮像素子41）からθの視差角度だけずれる）。
【００４１】
図７は，ファインダ装置60の構造を示している。図７の上図は，ファインダ装置60を図４と同様に平面的に示すもので，図７の下図はファインダ装置60を立体的に示すものである。これらの図において，図４に示すものと同一物について同一符号が付されている。
【００４２】
図４および図６に示したように，接眼窓３から被写体ＯＢを見るとファインダ装置60の光軸Ｃ３からθの視差角度だけずれる（ファインダ装置60の接眼窓３から覗いてカメラ・アングルを決定する場合，通常は，ファインダ装置60の光軸Ｃ３上に被写体ＯＢが存在すると考えられるが，そのような場合でも被写体ＯＢはレンズ鏡筒２の光軸Ｃ２からθの視差角度だけずれる）ので，接眼窓３を介して結像される光学的な被写体像に電子ビュー・ファインダ65に表示される被写体像の一部を一致させるためには，被写体像の一部を視差角度θだけずらして表示させればよいこととなる。もちろん，接眼窓３とレンズ鏡筒２との配置位置と液晶ビュー・ファインダ60の配置位置との位置関係に応じて被写体像の一部をずらす角度の方向が決定されるのはいうまでもない。
【００４３】
図８は，ディジタル・カメラ１と主要被写体ＯＢ１，ＯＢ２およびＯＢ３との位置関係を平面的に見たものである。
【００４４】
被写体ＯＢ１がディジタル・カメラ１から比較的遠い距離Ｄ１の位置にある場合には，接眼窓３から被写体ＯＢ１を見た場合，接眼窓３の光軸からのなす視差角度はθ１である。同様に主要被写体ＯＢ２がディジタル・カメラ１から遠くも近くも無い中くらいの距離Ｄ２の位置にある場合には接眼窓３から主要被写体ＯＢ２を見た場合，接眼窓３の光軸からのなす視差角度はθ２である。さらに，主要被写体ＯＢ３がディジタル・カメラ１から近い距離Ｄ３の位置にある場合，接眼窓３の光軸からのなす視差角度はθ３である。これらの視差角度θ１，θ２およびθ３は，θ１＜θ２＜θ３となる。被写体が無限遠と見なせるほど遠い距離の位置にある場合には視差角度はほとんど無視できる。その場合，接眼窓３を介して見える光学的な被写体像と電子ビュー・ファインダ65に表示される被写体像とのずれはほとんどない。したがって，ディジタル・カメラ１からの距離が遠い被写体を見る場合には上述した視差補正は必ずしも必要ない。
【００４５】
図９は，ファインダ装置60の対物窓３を介して見える光学的な被写体像70の一例である。
【００４６】
被写体像70のほぼ中心に合焦すべき対象である主要被写体像72が位置決めされる。
【００４７】
図10は，電子ビュー・ファインダ65の表示画面に表示される電子ビュー・ファインダ画像80の一例である。
【００４８】
電子ビュー・ファインダ画像80には，ほぼ中心に一つのＡＦターゲット領域81が形成されている。このＡＦターゲット領域81に固体電子撮像素子41により撮像された被写体像82が表示されている（撮像により得られた画像であることが分るように，図10では鎖線で示されている）。ＡＦターゲット領域82の周りの領域はマスク領域85である。マスク領域85は，固体電子撮像素子41により撮像された被写体像のうち，ＡＦターゲット領域82に表示されていない画像をマスクするものである。また，電子ビュー・ファインダ画像80の四隅には撮像範囲を示す視野枠83が表示されている。マスク領域85および視野枠83を示すデータはメモリ46に格納されており，それらのデータがＣＰＵ47によってメモリ46から読み出され，ＬＣＤドライバ36に与えられることにより，マスク領域85および視野枠83が表示される。
【００４９】
図11は，接眼窓11から見えるファインダ画像の一例である。
【００５０】
ＯＶＦシャッタ62が開いていると，図９に示す光学的な被写体像70上に，図10に示す電子ビュー・ファインダ画像80が重ねられた画像接眼窓11から見える。
【００５１】
上述したようにレンズ鏡筒１の光軸Ｃ２とファインダ装置60の光軸Ｃ３との間には視差があるが，電子ビュー・ファインダ65に表示される被写体像82は視差補正が行われるように画像シフト回路35によって電子ビュー・ファインダ65の表示位置がシフトされる。このために，ＡＦターゲット領域81内の被写体像82にピントが合っていれば光学的な被写体像72に重畳している被写体像82とは一致し，ＡＦターゲット領域81内の被写体像82にピントが合っていなければ光学的な被写体像72に重畳している被写体像82とはずれが生じる。光学的な被写体像72と撮像された被写体像82とのずれに応じて，フォーカス・リング32を操作することによりマニュアル・フォーカスのピント合わせを実現できる。
【００５２】
図12は，マニュアル・フォーカスによるピント合わせの処理手順を示すフローチャートである。
【００５３】
ＯＶＦシャッタ62は開いており，光学的な被写体像をファインダ装置60から見ることができる。
【００５４】
ユーザは，ファインダ装置60の接眼窓11を覗き，光学的な被写体像を見ながら，フォーカス・リング32を操作する（ステップ91）。フォーカス・リング32の回転量がエンコーダ33によって検出され（ステップ92），フォーカス・レンズ群31が合焦するディジタル・カメラ１から被写体までの距離が算出される（ステップ93）。フォーカス・リング32の回転量とフォーカス・レンズ群31が合焦するディジタル・カメラ１から被写体までの距離との関係は，ディジタル・カメラ１の製造工程において予め検出されており，それらの関係を示すデータは距離検出回路34内のメモリ（図示略）に格納されている。それらの関係を示すデータを利用してフォーカス・レンズ群31の回転量からフォーカス・レンズ群31が合焦するディジタル・カメラ１から被写体までの距離が算出されることとなる。
【００５５】
算出された距離に応じて，視差補正のための画像シフト量が算出される（ステップ94）。フォーカス・レンズ群31が合焦するディジタル・カメラ１から被写体までの距離とシフト量との関係についても，ディジタル・カメラの製造工程において予め算出され，記憶されているのはいうまでもない。
【００５６】
固体電子撮像素子41によって撮像された被写体像が，フォーカス・リング31の回転量に応じて算出された画像シフト量の分だけずらされて電子ビュー・ファインダ65の表示画面に表示される（ステップ95）。上述のように，ＡＦターゲット領域81内の被写体像82は，ピントが合っていなければ光学的な被写体像72とずれ（横方向へのずれ，水平方向へのずれ，レンズ鏡筒２の光軸とファインダ装置60の光軸とを結ぶ軸上におけるずれ），ピントが合っていれば光学的な被写体像72と一致する。ファインダ装置60は，いわゆる二重像合致式のものとなる。たとえば，図８を参照して，被写体が距離Ｄ２の距離にある被写体ＯＢ２であったにも関わらず，距離Ｄ１または距離Ｄ３にある被写体ＯＢ１または被写体ＯＢ３に合焦するようにフォーカス・リング32が操作されたものとする。するとファインダ装置60を覗くユーザには二重にずれた被写体像が見える。フォーカス・リング32を操作することにより，距離Ｄ２にある被写体ＯＢ２に合焦するようにフォーカス・リング32が操作されると，ファインダ装置60を覗くユーザには画像ずれの無い被写体像が見える。ユーザはピントが合ったことがわかり，シャッタ・レリーズをオンすることにより（図12ステップ96でＹＥＳ），被写体が撮像される。撮像された被写体像を表わす画像データがメモリ・カード50に記録される。
【００５７】
図13は，変形例を示すもので，ＡＦターゲット枠サイズ設定画像の一例である。
【００５８】
ディジタル・カメラ１に含まれているボタン類のうちのメニュー／ＯＫボタン15を利用してメニュー表示画面が選択されると，ＡＦターゲット枠サイズ設定メニューの選択が可能となる。ＡＦターゲット枠サイズ設定メニューが選択されると，図13に示すＡＦターゲット枠サイズ設定画像が液晶表示画面12に表示される。
【００５９】
ＡＦターゲット枠サイズ設定画像の下部には横方向に伸びたサイズ設定バー101が形成されている。このサイズ設定バー101上を横方向に自在に動くスライダ100も形成されている。ＡＦターゲット枠サイズ設定メニューが設定されると，ディジタル・カメラ１に含まれているボタンのうち，所定のボタンを操作することにより，サイズ設定バー101上をスライダ100が左右に動く。スライダ100が左側に動くにつれてＡＦターゲット領域81の大きさは小さくなり，スライダ100が右側に動くにつれてＡＦターゲット領域81の大きさは鎖線で示すように大きくなる。このようにＡＦターゲット領域81の大きさを所望の大きさに設定することもできる。
【００６０】
図14は，他の変形例を示すもので，ＡＦターゲット濃淡設定画像である。
【００６１】
上述したＡＦターゲット枠の設定と同様に，ディジタル・カメラ１に含まれているボタン類のうちのメニュー／ＯＫボタン15を利用してメニュー表示画面が選択されると，ＡＦターゲット濃淡設定メニューの選択が可能となる。ＡＦターゲット濃淡設定メニューが選択されると，図14に示す設定画像が液晶表示画面12に表示される。
【００６２】
ＡＦターゲット濃淡設定画像の下部にも横方向に伸びた濃淡設定バー103が形成されている。この濃淡設定バー103上を横方向に自在に動くスライダ102も形成されている。濃淡設定メニューが設定されると，ディジタル・カメラ１に含まれているボタンのうち，所定のボタンを操作することにより，濃淡設定バー103上をスライダ102が左右に動く。スライダ102が左側に動くにつれてＡＦターゲット領域81内に表示される被写体像82は薄くなり，スライダ102が右側に動くにつれてＡＦターゲット領域81内に表示される被写体像82は濃くなる。このように，ＡＦターゲット領域81内に表示される被写体像の濃淡を設定することもできる。
【００６３】
図15は，さらに，他の変形例を示すもので，電子ビュー・ファインダ65の表示画面に表示される電子ビュー・ファインダ画像80Ａの一例である。図10に示す電子ビュー・ファインダ画像80に対応している。
【００６４】
図10に示した例では，ほぼ中央に一つのＡＦターゲット領域81が設定されているが，図15に示す例では，ほぼ中央にＡＦターゲット領域81が設定されているほかに，そのＡＦターゲット領域81の周りに四つのＡＦターゲット領域111〜114が設定されている。
【００６５】
このように複数のＡＦターゲット領域81，111〜114が設定されることにより，所望のターゲット枠内の被写体についてピントを合わせることができるようになる。
【００６６】
複数のＡＦターゲット領域81，111〜114が設定される場合には，上述したのと同様に，メニュー表示画面を設定し，ＡＦターゲット領域設定メニューを選択する。すると，設定するＡＦターゲットの数を入力し，かつＡＦターゲット領域を設定する位置を入力できるようになる。必要であれば，表示画面12にタッチ・パネル等を設け，タッチ・パネル上でＡＦターゲット領域の位置を規定するようにしてもよい。もっとも，図15に示すように５つのＡＦターゲット領域81，111〜114と図10に示すように１つのＡＦターゲット領域81とのいずれを設定できるように予め規定しておき，ユーザがいずれかを選択するようにしてもよい。これらの複数のＡＦターゲット領域81，111〜114内に固体電子撮像素子41によって撮像された被写体像のうち対応する画像部分が表示されるのはいうまでもない。
【００６７】
図16は，さらに他の変形例を示すもので，撮像された被写体像の一例である。
【００６８】
被写体を撮像することにより，顔画像121が検出される。検出された顔画像121の領域がＡＦターゲット領域81に設定される。顔検出は，ＣＰＵ47により実行されればよい。顔の部分にピントが合うようになる。
【符号の説明】
【００６９】
２  レンズ鏡筒
３  対物窓
11  接眼窓
31  フォーカス・レンズ群
32  フォーカス・リング
34  距離検出回路
35  画像シフト回路
41  固体電子撮像素子
60  ファインダ装置
63  プリズム（偏向装置）
65  電子ビュー・ファインダ（表示装置）
【図１】
2014017173.tif 000003
【図２】
2014017173.tif 000004
【図３】
2014017173.tif 000005
【図４】
2014017173.tif 000006
【図５】
2014017173.tif 000007
【図６】
2014017173.tif 000008
【図７】
2014017173.tif 000009
【図８】
2014017173.tif 000010
【図９】
2014017173.tif 000011
【図１０】
2014017173.tif 000012
【図１１】
2014017173.tif 000013
【図１２】
2014017173.tif 000014
【図１３】
2014017173.tif 000015
【図１４】
2014017173.tif 000016
【図１５】
2014017173.tif 000017
【図１６】
2014017173.tif 000018
【手続補正書】
【提出日】平成26年1月31日(2014.1.31)
【手続補正１】
【補正対象書類名】特許請求の範囲
【補正対象項目名】全文
【補正方法】変更
【補正の内容】
【特許請求の範囲】
【請求項１】
フォーカス・レンズが内蔵され，かつ回転自在なフォーカス・リングが周囲に設けられており，上記フォーカス・リングの回転に応じて上記フォーカス・レンズの位置を調整するレンズ鏡筒がカメラの前面の中心に設けられており，
上記フォーカス・レンズによって結像する被写体を撮像し，被写体像を表わす画像データを出力する固体電子撮像装置，
上記固体電子撮像装置から出力された画像データによって表わされる被写体像のうち，所望のＡＦターゲット領域内の画像を表示画面に表示する表示装置，
カメラの前面の右上に形成され，被写体に向く対物窓および上記対物窓を通して見える光学的な被写体像を覗く接眼窓を備えたファインダ装置，
上記対物窓と上記接眼窓との間に設けられ，上記表示装置の表示画面に表示されているＡＦターゲット領域内の画像を上記接眼窓に導く偏向装置，
上記フォーカス・リングの回転量を検出する回転量検出手段，ならびに
上記回転量検出手段によって検出された回転量にもとづいて，上記ＡＦターゲット領域内の画像が非合焦であれば上記対物窓を通して見える光学的な被写体像と上記ＡＦターゲット領域内の画像とが上記レンズ鏡筒の光軸と上記ファインダ装置の光軸とを結ぶ軸上をずれるように上記表示画面にＡＦターゲット領域内の画像を表示し，上記ＡＦターゲット領域内の画像が合焦であれば上記対物窓を通して見える光学的な被写体像と上記ＡＦターゲット領域内の画像とが一致するように上記表示画面にＡＦターゲット領域内の画像を表示するように上記表示装置を制御する表示制御手段，
を備えたカメラ。
【請求項２】
（削除）
【請求項３】
（削除）
【請求項４】
上記表示制御手段は，
フォーカス・リングの回転に応じて，上記ＡＦターゲット領域内の画像を少なくとも横方向に移動させるとともに，上記フォーカス・レンズの合焦位置が被写体までの距離に一致した場合に上記対物窓を通して見える光学的な被写体像と上記ＡＦターゲット領域内の画像とが一致するように上記表示画面にＡＦターゲット領域内の画像を表示するように表示装置を制御するものである，
請求項１に記載のカメラ。
【請求項５】
上記表示制御手段は，
上記回転量検出手段によって検出された回転量にもとづいてカメラの前方のどの位の距離にある被写体について合焦するかを算出する距離算出手段を備え，
上記距離算出手段において算出された距離にある被写体を上記ファインダ装置の上記対物窓を通して見える光学的な被写体像と，その被写体を上記固体電子撮像装置によって撮像することにより上記表示装置の上記表示画面に表示されているＡＦターゲット領域の画像と，を一致させるものである，
請求項１または４に記載のカメラ。
【請求項６】
上記表示制御手段は，
固体電子撮像装置の光軸と上記ファインダ装置の光軸とのずれによる，上記対物窓を通して見える光学的な被写体像と上記ＡＦターゲット領域内の画像とのずれを補正して，上記ＡＦターゲット領域内の画像を上記表示画面に表示するものである，
請求項１，４または５に記載のカメラ。
【請求項７】
上記表示制御手段は，
固体電子撮像装置の光軸と上記ファインダ装置の光軸とのずれによる，上記対物窓を通して見える光学的な被写体像と上記ＡＦターゲット領域内の画像とのずれを，上記距離算出手段によって算出された距離に応じた補正分を補正して，上記ＡＦターゲット領域内の画像を上記表示画面に表示するものである，
請求項６に記載のカメラ。
【請求項８】
上記ＡＦターゲット領域の位置，大きさおよび数のうち少なくとも一つを設定する第１のＡＦターゲット領域設定手段，
をさらに備えた請求項１，４，５，６または７に記載のカメラ。
【請求項９】
上記ＡＦターゲット領域内の画像の明るさまたは濃度の少なくとも一方を設定する第２のＡＦターゲット領域設定手段，
をさらに備えた請求項１，４，５，６，７または８に記載のカメラ。
【請求項１０】
上記固体電子撮像装置によって撮像された被写体像に含まれる顔の領域を検出する顔検出手段，および
上記顔検出手段によって検出された顔の領域をＡＦターゲット領域に設定する第３のＡＦターゲット領域設定手段，
をさらに備えた請求項１，４，５，６，７，８または９に記載のカメラ。
【請求項１１】
フォーカス・レンズが内蔵され，かつ回転自在なフォーカス・リングが周囲に設けられており，上記フォーカス・リングの回転に応じて上記フォーカス・レンズの位置を調整するレンズ鏡筒がカメラの前面の中心に設けられており，カメラの前面の右上に形成され，被写体に向く対物窓および上記対物窓を通して見える光学的な被写体像を覗く接眼窓を備えたファインダ装置を備えたカメラの動作制御方法において，
固体電子撮像装置が，上記フォーカス・レンズによって結像する被写体を撮像し，被写体像を表わす画像データを出力し，
表示装置が，上記固体電子撮像装置から出力された画像データによって表わされる被写体像のうち，所望のＡＦターゲット領域内の画像を表示画面に表示し，
偏向装置が，上記ファインダ装置の上記対物窓と上記接眼窓との間に設けられ，上記表示装置の表示画面に表示されているＡＦターゲット領域内の画像を上記接眼窓に導き，
回転量検出手段が，上記フォーカス・リングの回転量を検出し，
表示制御手段が，上記回転量検出手段によって検出された回転量にもとづいて，上記ＡＦターゲット領域内の画像が非合焦であれば上記対物窓を通して見える光学的な被写体像と上記ＡＦターゲット領域内の画像とが上記レンズ鏡筒の光軸と上記ファインダ装置の光軸とを結ぶ軸上をずれるように上記表示画面にＡＦターゲット領域内の画像を表示し，上記ＡＦターゲット領域内の画像が合焦であれば上記対物窓を通して見える光学的な被写体像と上記ＡＦターゲット領域内の画像とが一致するように上記表示画面にＡＦターゲット領域内の画像を表示するように上記表示装置を制御する，
カメラの動作制御方法。
【国際調査報告】
2014017173.tif 000019
2014017173.tif 000020